(57)【要約】      （修正有）【課題】セーラー襟などの折返し襟があるように見せつつも、当該襟を排して、清涼で、軽量であり、生産コストを低減するシャツを提供する。【解決手段】折返し襟を備えないシャツ１であって、首ぐり３が設けられた部分の生地は、身頃２の生地と別体に形成された切替生地４にて、切替えられたものであり、切替生地４の外縁４１は、折返し襟の襟先を模した輪郭を備え、切替生地４の外縁４１が身頃２へ縫着され、折返し襟を備えて見える。【選択図】図１
0003190402.tif 000002
【実用新案登録請求の範囲】
【請求項１】
折返し襟を備えないシャツであって、
首ぐりが設けられた部分の生地は、身頃と別体に形成された切替生地にて、切替えられたものであり、
前記切替生地の外縁は、折返し襟の襟先を模した輪郭を備え、
切替生地の前記外縁が前記身頃へ縫着され、折返し襟を備えて見えるシャツ。
【請求項２】
前記切替生地は、前記首ぐり内周の少なくとも一部を構成する内縁を備え、
前記身頃は、前記切替生地を縫着する縫い代に沿って当該縫い代に囲まれた領域が刳り抜かれたものであり、
切替生地の前記外縁は、身頃の前記縫い代に沿って前記縫い代の上に縫着されて身頃表面から露出し、
前記縫い代と首ぐりの縁との間の領域を１枚の前記切替生地にて被覆するものである請求項１記載のシャツ。
【請求項３】
前記切替生地の外縁がセーラー襟の外縁と同じ形状の輪郭を備えた、夏物セーラー服風のブラウスであることを特徴とする請求項２記載のシャツ。
【請求項４】
前記身頃は、前身頃と後身頃とを備え、
前記前身頃が、左前身頃部と右前身頃部の、左右の身頃部にて構成された前開きのものであり、ボタン等の閉鎖部材により前記左前身頃部と右前身頃部とが閉じられるものであり、
前記縫い代は、前記前身頃を閉じた状態において、左肩から後身頃を下方へ向け縦に伸びる後左縦部と、右肩から後身頃を下方向け縦に伸びる後右縦部と、後身頃にて横に伸び前記両縦部の下端部同士を結ぶ後横部と、前記後左縦部の上端から左前身頃を右下へ向けて斜めに或いはカーブして伸びる前左部と、前記後右縦部の上端から前記前左部の下端まで右前身頃を左下へ向けて斜めに或いはカーブして伸びる前右部とにて構成され、前後の身頃において前記後左縦部と後横部と後右縦部と前左部と前右部とに囲まれた領域は刳り抜かれており、
前記切替生地は、前記縫い代の、前記後左縦部へ縫着される後左縦辺と、前記後横部へ縫着される後横辺と、前記後右縦部へ縫着される後右縦辺と、前記前左部へ縫着される前左辺と、前記前右部へ縫着される前右辺と、前記左前辺と右前辺との間に設けられて後横辺側へ後退して首ぐりをなす前記内縁とにて象られた、夏物セーラー服風のブラウスであることを特徴とする請求項３記載のシャツ。
【考案の詳細な説明】
【技術分野】
【０００１】
本願考案は、シャツの改良に関する。
【背景技術】
【０００２】
女子の学生服として一般的なセーラー服は、セーラー襟を備える。
セーラー服は、身頃へ当該セーラー襟が重ねられて、夏服でも暑苦しいものとなっていた。また、特に、セーラー襟は、通常のシャツやブラウスの襟と比べても広いものであり、身頃の当該襟が重ねられる範囲も広くその分暑苦しく、また、服の重量も大きなものとなっていた。
特に、図３（Ｃ）へ示す通り、セーラー襟は、通常表と裏の２枚の生地ｋ１，ｋ２が縫い合わされて形成されており、当該襟が重なる身頃ｍを合わせると、３枚の生地が重ねられることとなり、上記暑苦しさや重さの問題は、無視できるものではない。
更に、着用者が動いたり風を受けたりして、身頃から上記襟がはためくことがよくある。
【０００３】
セーラー服の上記暑苦しさを解消するために、特許文献１へ示すように、セーラーカラー背部（１）に覆われる後身頃背上部・肩部分（２）の生地にメッシュを用いて、着用時之の蒸れの軽減を図った清涼セーラー服が提案されている。
しかし、メッシュ生地を用いるとは言え、襟を身頃へ重ねる点は変わらず、上記セーラー襟が有する問題の根本的な解決には至っていない。また、特許文献１の段落０００９には、透けて見えることを抑えるために、襟と身頃の当該襟が重ねられる部分についてステッチで押さえる割合を所定のものとすることが推奨されており、特許文献１のセーラー服を実用に耐える清涼なものとして製造するのは面倒なものとなっている。
そして、特許文献１においても、身頃から襟がはためかないようにする手段は示されていない。
【０００４】
一方、特許文献２（請求項１）には、幼児服の身頃に対して涎掛けとなる襟を着脱自在に取り付けるものが提案されており、また、特許文献３（図６、図７、段落００２２）にもセーラー服の後襟のようなものとして使用できる衣服用着脱物を衣服へ着脱自在に取り付けられるものが提案されている。
セーラー服において、特許文献２及び３に習って、セーラー襟を身頃から着脱自在に設けることも考えられる。暑苦しいときは、襟を外して涼を取るものとするのである。
【０００５】
しかし、特許文献２及び特許文献３の何れにも、セーラー襟などの襟と身頃の生地が重なることによる暑苦しさや重さの問題を十分に意識されてはいない。
例えば、セーラー服などの本来襟付のシャツから襟を取り外すと、学生服として好ましい着用とはいえない。また、セーラー服に限らず、折返襟を備えるのが一般的なシャツにおいて、襟を外して使用するのは好まれず、特に学生などでは教育上の観点から好ましくない。
【０００６】
襟着用時に、襟がはためかないようにする手段についても、特許文献２及び３において、特許文献１と同様何ら示されていない。
尚、特許文献４には、襟のはためきを抑制するため、セーラー襟と後身頃とを固定したことを特徴とするセーラー服が提案されているが、上記襟と身頃との重なりによる暑苦しさや重さの問題は全く考慮されておらず、当該問題の解決手段は全く示されていない。
【先行技術文献】
【特許文献】
【０００７】
【特許文献１】特開２００１−２７９５１１号公報
【特許文献２】特開２０１０−１８９３７号公報
【特許文献３】特開２００３−３３６１０８号公報
【特許文献４】実用新案登録第３１８１７２３号公報
【考案の概要】
【考案が解決しようとする課題】
【０００８】
本願考案は、上記折返し襟による暑苦しさや重さの問題を根本的に解決したシャツの提供を図るものである。本願考案は、更に折返し襟による暑苦しさや重さの問題と襟のはためきの問題を一挙に解決するシャツの提供を図るものである。
特に、本願考案は、上記各問題が顕著な女子学生が着用するセーラー襟を備えたセーラー服に対し、ブラウスを改良することにより、セーラー服として使用可能なシャツの提供を図る。
【課題を解決するための手段】
【０００９】
本願考案は、折返し襟を備えないシャツであって、首ぐりが設けられた部分の生地は、身頃と別体に形成された切替生地にて、切替えられたものであり、前記切替生地の外縁は、折返し襟の襟先を模した輪郭を備え、切替生地の前記外縁が前記身頃へ縫着され、折返し襟を備えて見えるシャツを提供する。
ここでいうシャツとは、特に明示のない場合、一般的なシャツと呼ばれる上衣に限らず、女子の上衣として一般にブラウスと呼ばれるものや、同じく女子の上衣であり且つ男子のシャツ風のシャツブラウスといった上衣を含む。また、前記シャツは、特に明示のない場合、前身頃が左右に開く前開きのものを含む他、ポロシャツやＴシャツなどに一般的な、前閉じのシャツも含む。
また、本願考案では、前記切替生地は、前記首ぐり内周の少なくとも一部を構成する内縁を備え、前記身頃は、前記切替生地を縫着する縫い代に沿って当該縫い代に囲まれた領域が刳り抜かれたものであり、切替生地の前記外縁は、身頃の前記縫い代に沿って前記縫い代の上に縫着されて身頃表面から露出し、前記縫い代と首ぐりの縁との間の領域を１枚の前記切替生地にて被覆するシャツを提供し得た。
更に本願考案では、前記切替生地の外縁がセーラー襟の外縁と同じ形状の輪郭を備えた、夏物セーラー服風のブラウスであるシャツを提供し得た。
また更に本願考案では、前記身頃は、前身頃と後身頃とを備え、前記前身頃が、左前身頃部と右前身頃部の、左右の身頃部にて構成された前開きのものであり、ボタン等の閉鎖部材により前記左前身頃部と右前身頃部とが閉じられるものであり、前記縫い代は、前記前身頃を閉じた状態において、左肩から後身頃を下方へ向け縦に伸びる後左縦部と、右肩から後身頃を下方向け縦に伸びる後右縦部と、後身頃にて横に伸び前記両縦部の下端部同士を結ぶ後横部と、前記後左縦部の上端から左前身頃を右下へ向けて斜めに或いはカーブして伸びる前左部と、前記後右縦部の上端から前記前左部の下端まで右前身頃を左下へ向けて斜めに或いはカーブして伸びる前右部とにて構成され、前後の身頃において前記後左縦部と後横部と後右縦部と前右部と前左部とに囲まれた領域は刳り抜かれており、前記切替生地は、前記縫い代の、前記後左縦部へ縫着される後左縦辺と、前記後横部へ縫着される後横辺と、前記後右縦部へ縫着される後右縦辺と、前記前左部へ縫着される前左辺と、前記前右部へ縫着される前右辺と、前記左前辺と右前辺との間に設けられて後横辺側へ後退して首ぐりをなす前記内縁とにて象られた、夏物セーラー服風のブラウスであるシャツを提供し得た。
【考案の効果】
【００１０】
本願考案は、折返し襟による暑苦しさや重さの問題を根本的に解決したシャツを提供できた。
また、折返し襟による暑苦しさや重さの問題の解決と共に、着用者の動作や風にて襟がはためくことがないシャツを提供できた。
更に、必要とする生地を減らすことができ、シャツの生産コストを低減できた。また、従来の折返し襟を備えたシャツに比して、縫製も簡略化でき、縫製面でもコストや手間を低減できた。
具体的には、身頃の本来折返し襟が重ねられる部位を、折返し襟類似の切代生地にて切替えることにて、身頃に縫着された切替生地の外縁が折返し襟の外縁即ち襟先を象って見せ、折返し襟を設けないまま、折返し襟を備えたシャツ風の外観を呈するシャツを提供した。
従来の折返し襟を備えたシャツでは、身頃の折返し襟が重なる部位は、身頃と当該襟の少なくとも２枚の生地が重なることになるが、本願考案では、実際の襟をなくし身頃の当該部位を身頃の生地１枚のみ配置するものとすることによって、通気性良く清涼であり、軽量で、コストも抑えた、折返し襟付きに見えるシャツを提供できた。
言い換えると、本願考案は、身頃の従来折返しが重なる部位を切替えて本来折返し襟となる生地を縫着した、折返し襟（の襟先）が身頃と一体化した斬新なシャツを提供したのである。発想は奇抜で斬新であるが、本願考案に係るシャツは、従来の襟付きシャツに対し違和感の少ない外観を呈し、従来のシャツに代替して利用することができる。
特に、本願考案は、身頃の広い範囲に重ねられるセーラー襟を備えたセーラー服において、極めて顕著であった当該セーラー襟による暑苦しさや重さ、コストの問題を払拭できた。また本願考案は、他のシャツの襟に比べて極めて幅が広く風を受けてはためき易いセーラー襟を、はめかないようにした。
通常セーラー襟は、夏物であっても、表と裏の別々の生地を縫い合わせることによって形成されているので、身頃と合わせて少なくとも３枚の生地が重ねられ、蒸し暑さや重さの問題は、他のシャツやブラウスにも増して顕著である。またこのような生地の重畳が、軽量化や生産コストの低減を著しく阻んでいる。軽量化に関しては、セーラー襟を単純に軽量な生地に頼るものとすれば、却ってはためき易く捲れ易くなるという、相反する問題もある。
本願考案は、ブラウスを改良し、セーラー襟を身頃の一部として身頃と一体化することにより、夏物のセーラー服に顕著であった上記種々の問題を一挙に解決した。即ち、本願考案にて、通気性がよく清涼且つ軽量でセーラー襟がためかず生産コストを抑えた、セーラー服風のブラウスを提供できたのである。
また、毎日着用する学生服ではあっても、セーラー襟を備えたものを自宅で簡単に洗濯するという訳には行かないが、本願考案の実際のセーラー襟を備えないブラウスにあっては、洗濯も簡単に行え、取り扱いが便利である。
【図面の簡単な説明】
【００１１】
【図１】（Ａ）は本願考案に係る一実施の形態を示すセーラー服風のブラウスの全体正面図、（Ｂ）は当該ブラウスの全体背面図。
【図２】（Ａ）は図１（Ａ）のブラウスの分解正面図、（Ｂ）は（Ａ）のブラウスの前を開いて切替生地を上下方向へ伸ばした状態を示す分解正面図。
【図３】（Ａ）は図１（Ａ）のブラウスの分解背面図、（Ｂ）は（Ａ）のブラウスの一部を切欠いた要部略縦断面を示す説明図、（Ｃ）は従来のセーラー服の一部を切欠いた要部略縦断面を示す説明図。
【考案を実施するための形態】
【００１２】
以下、図面に基づき本願考案の実施の形態を説明する。
【００１３】
（基本構成）
このシャツ１は、折返し襟を備えない。シャツ１の首ぐり３が設けられた部分の生地は、身頃２と別体に形成されて切替えられた切替生地４である。切替生地４は、折返し襟の襟先と同じ形状の外縁４１と、外縁４１から後退して形成されシャツの首ぐりをなす内縁４２とにて象られている。身頃２は、切替生地４を縫着する縫い代２０に沿って当該縫い代２０に囲まれた領域が刳り抜かれた状態に切欠かれている。切替生地４の外縁４１は、身頃２の縫い代２０に沿って縫い代２０の上に縫着されて身頃２表面から露出し、縫い代２０と首ぐり３の縁との間の領域は１枚の前記切替生地にて被覆され、シャツは折返し襟を備えているように見える。
以下、図１へ示す、切替生地４の外縁４１がセーラー襟の外縁と同じ形状の輪郭を備えた、夏物セーラー服風のブラウス（以下ブラウス１と呼ぶ。）を例示して、具体的な構成について説明する。
【００１４】
（具体的構成）
図１（Ａ）（Ｂ）へ示す通り、このブラウス１の身頃２は、前身頃２１と後身頃２２と、左右の袖２３とを備える。左右の袖２３は半袖である。
ブラウス１は、前開きのものであり（図２（Ｂ））、前身頃２１は、左前身頃部２１ａと右前身頃部２１ｂの、左右の身頃部にて構成されている。
図１（Ａ）へ示す通り、左前身頃部２１ａの正面右端付近には、当該右端に沿って上下に複数のボタン５１が配列されている。右前身頃部２１ｂの正面左端付近には、当該左端に沿って上下に複数のボタン穴５２が配列されている（図２（Ｂ））。上記のボタン５１とボタン穴５２は、閉鎖部材を構成し、図１（Ａ）へ示す通り、ボタン５１をボタン穴５２へ掛けることにより、左前身頃部２１ａと右前身頃部２１ｂとが閉じられる。
【００１５】
図３（Ａ）及び図２（Ａ）へ斜線で示す通り、上記縫い代２０は、前身頃２１の左右を閉じた状態において、身頃２の生地の表側に設けられた、左肩から後身頃２２を下方へ向け縦に伸びる後左縦部２０ａと、右肩から後身頃２２を下方向け縦に伸びる後右縦部２０ｂと、後身頃２２にて横に伸び上記両縦部２０ａ，２０ｂの下端部同士を結ぶ後横部２０ｃと、後左縦部２０ａの上端から左前身頃２１ａを右下へ向けて左側へ凸となるようカーブしつつ伸びる前左部２０ｄと、後右縦部２０ｂの上端から前左部２０ｄの下端まで右前身頃２１ｂを左下へ向けて右側へ凸となるようカーブしつつ伸びる前右部２０ｅとにて構成される。
【００１６】
図３（Ａ）及び図２（Ａ）へ示す通り、身頃２において後左縦部２０ａと後横部２０ｃと後右縦部２０ｂと前右部２０ｅと前左部２０ｄとに囲まれた領域ｒは刳り抜かれている。
【００１７】
図３（Ａ）及び図２（Ａ）（Ｂ）へ示す通り、切替生地４は、縫い代２０の、後左縦部２０ａへ縫着される後左縦辺４１ａと、後横部２０ｃへ縫着される後横辺４１ｃと、前記後右縦部２０ｂへ縫着される後右縦辺４１ｂと、前左部２０ｄへ縫着される前左辺４１ｄと、前右部２０ｅへ縫着される前右辺４１ｅと、前左辺４１ｄと前右辺４１ｅとの間に設けられて後横辺４１ｃ側へ後退して首ぐり３をなす上記内縁４２とにて、セーラー襟と同様の輪郭に象られている。
切替生地４の外縁４１は、上記の、後左縦辺４１ａと、後横辺４１ｃと、後右縦辺４１ｂと、前左辺４１ｄと、前右辺４１ｅとにて構成される。
切替生地４の上記輪郭の各部が、身頃２の上記縫い代２０の各部へ縫い付けられて、図１（Ａ）（Ｂ）及び図３（Ｂ）へ示すように、ブラウス１が形成される。
【００１８】
この例では、図１（Ａ）図２（Ａ）（Ｂ）へ示すように、切替生地４の首ぐり３を構成する上記内縁４２の項（うなじ）と対応する部位には、補強部６として、切替生地４と別体の生地がパイピングにて設けられている。但し、補強が不要であれば、補強部６を設けずに実施してもよい。
また、この例では、切替生地４の表側には、ライン７が設けられている。
ライン７は、切替生地４の生地と別体の紐や生地を縫い付けたり接着して取り付けることができる。この他、切替生地４へプリントすることによりライン７を設けるものとしても実施できる。
【００１９】
各図へ示す通り、ブラウス１の身頃２を淡色の生地で形成し、切替生地４を濃色の生地とすることにより、切替生地４をセーラー襟と簡単に判別できないものとし、看者に対し当該ブラウス１をより違和感なく夏物セーラー服として見せることができる。
上述してきた通り、本願考案は、考案者の奇抜な発想により、従来のセーラー服に代えて、女学生の夏物セーラー服として利用することができるブラウス１を提供できたのである。
【００２０】
（その他）
図示を省略するが、ブラウス１は、胸当てを備えるセーラー服を模して、胸当てを備えるものとしても実施できる。胸当てを設ける場合、切替布が、胸当て部分を備えるものとしてもよく、また、胸当てが切替布とは別の布にて形成され、縫製または、スナップやボタン、ファスナ等の周知の取付手段によって、ブラウスに取り付けられるものとてもよい。
また、スカーフやタイも、周知の上記の取付手段にブラウスに取り付けることかできる。
【００２１】
上記において、切替生地４は、縫い代２０以外において身頃とは重ならないものとすることによって、切替生地４と身頃２との重なりを極力抑えることができ、ブラウス１を清涼なものとするのに、効果的である。
但し、従来のセーラー服よりも清涼なものであれば、縫い代２０以外の部分において、切替生地４が身頃２と若干重なる部分を備えたものであってもよい。例えば、縫い代２０より若干内側に離れて切替の端縁が位置するように、前述の領域ｒが形成されるものであってもよい。
【００２２】
（変更例）
閉鎖部材には、ボタンの他、ファスナやスナップを採用するものとしても実施できる。
上記において、夏物セーラー服として用いることができるブラウスを例示して説明したが、このような例に限らず、セーラー襟以外の折返し襟を備えたブラウスやブラウス以外のシャツにおいて、本願考案を実施することも可能であり、種々応用することができる。例えば、中衣としてのブラウスや、Ｙシャツ、開襟シャツにおいて本願を実施することができる。
【符号の説明】
【００２３】
１    シャツ（ブラウス）
２    身頃
３    首ぐり
４    切替生地
６    補強部
７    ライン
２０    縫い代
２０ａ（縫い代２０の）後左縦部
２０ｂ（縫い代２０の）後右縦部
２０ｃ（縫い代２０の）後横部
２０ｄ（縫い代２０の）前左部
２０ｅ（縫い代２０の）前右部
２１    前身頃
２１ａ  左前身頃部
２１ｂ  右前身頃部
２２    後身頃
２３    袖
４１  （切替生地４）の外縁
４１ａ（切替生地４外縁４１の）後左縦辺
４１ｂ（切替生地４外縁４１の）後右縦辺
４１ｃ（切替生地４外縁４１の）後横辺
４１ｄ（切替生地４外縁４１の）前左辺
４１ｅ（切替生地４外縁４１の）前右辺
４２  （切替生地４）の内縁
【図１】
0003190402.tif 000003
【図２】
0003190402.tif 000004
【図３】
0003190402.tif 000005